(57)【要約】【課題】ヒンジ部が切れてしまった場合でも使用可能であり、しかも、可動カバー部の回動スペースが十分に確保できる場合でもできない場合でも使用可能となり、用途に応じて使い分けができる保護カバーを提供する。【解決手段】固定カバー部１０と可動カバー部２０とヒンジ部３０とを一体に有し、ヒンジ部を支点に可動カバー部が上下方向回動可能であり、また、ヒンジ部を切断することで、可動カバー部が固定カバー部に対し上下方向スライド可能となる。固定カバー部と可動カバー部との対向部に、回動操作時ロック手段８０とスライド操作時ロック手段９０とが設けられている。【選択図】図７
2015060688.tif 000002
【特許請求の範囲】
【請求項１】
第１の保護対象部の上方を覆う固定カバー部と、
該固定カバー部の側方に配置され、第２の保護対象部の上方を覆う可動カバー部と、
前記固定カバー部に対して前記可動カバー部を上下方向回動自在に一体に連結し、それにより、前記固定カバー部を前記第１の保護対象部を覆うように装着した状態で、前記可動カバー部を、前記第２の保護対象部を開放する開位置と前記第２の保護対象部を覆う閉位置との間で開閉自在とし、一方で、切断された際に、前記固定カバー部から切り離された前記可動カバー部を、前記第２の保護対象部を開放する上方の開位置と前記第２の保護対象部を覆う下方の閉位置との間で上下方向スライド自在とする切断可能なヒンジ部と、
を有する保護カバーであって、
前記固定カバー部と前記可動カバー部との対向部に、
前記可動カバー部を前記第２の保護対象部を開放する開位置から第２の保護対象部を覆う閉位置まで前記ヒンジ部を支点にして回動させた際に、前記固定カバー部に対して前記可動カバー部をロックする回動操作時ロック手段と、
前記ヒンジ部が切断されて前記固定カバー部から前記可動カバー部が切り離された状態で、前記可動カバー部を、前記第２の保護対象部を開放する上方の開位置から第２の保護対象部を覆う下方の閉位置までスライドさせた際に、前記固定カバー部に対して前記可動カバー部をロックするスライド操作時ロック手段と、
が設けられていることを特徴とする保護カバー。
【請求項２】
前記固定カバー部と前記可動カバー部との対向部に、前記ヒンジ部が切断されて前記固定カバー部から前記可動カバー部が切り離された状態で前記可動カバー部を、前記第２の保護対象部を開放する上方の開位置から第２の保護対象部を覆う下方の閉位置までスライドさせる際にスライド動作を案内するスライドガイドが設けられており、
前記スライドガイドの少なくとも一部により、前記回動操作時ロック手段と前記スライド操作時ロック手段とが構成されていることを特徴とする請求項１に記載の保護カバー。
【請求項３】
前記スライドガイドの一方の要素であり、前記固定カバー部の外側面に互いに平行に突設された一対のスライドレールと、
前記スライドガイドの他方の要素であり、前記可動カバー部の両側壁の外面に設けられ、前記各スライドレールにスライド自在に係合する係合凸部と、
を有し、
前記各スライドレールは、
前記スライド方向と直交する面内方向のうち、前記可動カバー部が前記ヒンジ部を支点にして回動するときの回動面内に含まれるＸ方向に前記係合凸部を規制するＸ方向規制壁と、前記スライド方向と直交する面内方向のうち、前記Ｘ方向と直交するＹ方向に前記係合凸部を規制するＹ方向規制壁とを有し、且つ、前記Ｙ方向規制壁の先端に前記Ｘ方向規制壁が連続して形成された断面Ｌ字状をなしており、
前記Ｘ方向規制壁と前記係合凸部とにより、前記可動カバー部を閉位置まで回動させた際に互いに係合して、前記固定カバー部に対して前記可動カバー部を前記回動方向にロックする前記回動操作時ロック手段が構成され、
前記Ｙ方向規制壁の内面に突設されたロック突起と前記係合凸部とにより、前記ヒンジ部が切断されて前記固定カバー部から切り離された状態の前記可動カバー部を下方の閉位置までスライドさせた際に互いに係合して、前記固定カバー部に対して前記可動カバー部を前記スライド方向にロックするスライド操作時ロック手段が構成されている
ことを特徴とする請求項２に記載の保護カバー。
【発明の詳細な説明】
【技術分野】
【０００１】
本発明は、例えばバッテリの端子等を保護するバッテリキャップとして有用な保護カバーに関する。
【背景技術】
【０００２】
特許文献１に、図８（ａ）及び図８（ｂ）に示すように、固定カバー部１１０と可動カバー部１２０とをヒンジ部１３０で上下方向に回動可能に連結し、固定カバー部１１０をバッテリ２００に固定した状態で、可動カバー部１２０だけを開閉自在とした一体成形型のバッテリ接続端子保護カバー１０１が記載されている。
【先行技術文献】
【特許文献】
【０００３】
【特許文献１】特開２０１０−１０８７８５号公報
【発明の概要】
【発明が解決しようとする課題】
【０００４】
ところで、上述した従来の固定カバー部１１０と可動カバー部１２０とをヒンジ部１３０で連結して可動カバー部１２０だけを開閉自在とした保護カバー１０１では、ヒンジ部１３０が切れると、固定カバー部１１０から切り離された可動カバー部１２０がバッテリ２００に装着できなくなり、使用不可となってしまう。また、可動カバー部１２０の回動スペースが十分に確保できない場合は使用できない。
【０００５】
そこで、本発明の目的は、上記課題を解消することに係り、ヒンジ部が切れてしまった場合でも使用可能であり、しかも、可動カバー部の回動スペースが十分に確保できない場合でも使用可能となり、用途に応じて使い分けができる保護カバーを提供することにある。
【課題を解決するための手段】
【０００６】
本発明の上記目的は、下記の構成により達成される。
（１）  第１の保護対象部の上方を覆う固定カバー部と、
該固定カバー部の側方に配置され、第２の保護対象部の上方を覆う可動カバー部と、
前記固定カバー部に対して前記可動カバー部を上下方向回動自在に一体に連結し、それにより、前記固定カバー部を前記第１の保護対象部を覆うように装着した状態で、前記可動カバー部を、前記第２の保護対象部を開放する開位置と前記第２の保護対象部を覆う閉位置との間で開閉自在とし、一方で、切断された際に、前記固定カバー部から切り離された前記可動カバー部を、前記第２の保護対象部を開放する上方の開位置と前記第２の保護対象部を覆う下方の閉位置との間で上下方向スライド自在とする切断可能なヒンジ部と、
を有する保護カバーであって、
前記固定カバー部と前記可動カバー部との対向部に、
前記可動カバー部を前記第２の保護対象部を開放する開位置から第２の保護対象部を覆う閉位置まで前記ヒンジ部を支点にして回動させた際に、前記固定カバー部に対して前記可動カバー部をロックする回動操作時ロック手段と、
前記ヒンジ部が切断されて前記固定カバー部から前記可動カバー部が切り離された状態で、前記可動カバー部を、前記第２の保護対象部を開放する上方の開位置から第２の保護対象部を覆う下方の閉位置までスライドさせた際に、前記固定カバー部に対して前記可動カバー部をロックするスライド操作時ロック手段と、
が設けられていることを特徴とする保護カバー。
【０００７】
（２）  前記固定カバー部と前記可動カバー部との対向部に、前記ヒンジ部が切断されて前記固定カバー部から前記可動カバー部が切り離された状態で前記可動カバー部を、前記第２の保護対象部を開放する上方の開位置から第２の保護対象部を覆う下方の閉位置までスライドさせる際にスライド動作を案内するスライドガイドが設けられており、
前記スライドガイドの少なくとも一部により、前記回動操作時ロック手段と前記スライド操作時ロック手段とが構成されていることを特徴とする上記（１）の保護カバー。
【０００８】
（３）  前記スライドガイドの一方の要素であり、前記固定カバー部の外側面に互いに平行に突設された一対のスライドレールと、
前記スライドガイドの他方の要素であり、前記可動カバー部の両側壁の外面に設けられ、前記各スライドレールにスライド自在に係合する係合凸部と、
を有し、
前記各スライドレールは、
前記スライド方向と直交する面内方向のうち、前記可動カバー部が前記ヒンジ部を支点にして回動するときの回動面内に含まれるＸ方向に前記係合凸部を規制するＸ方向規制壁と、前記スライド方向と直交する面内方向のうち、前記Ｘ方向と直交するＹ方向に前記係合凸部を規制するＹ方向規制壁とを有し、且つ、前記Ｙ方向規制壁の先端に前記Ｘ方向規制壁が連続して形成された断面Ｌ字状をなしており、
前記Ｘ方向規制壁と前記係合凸部とにより、前記可動カバー部を閉位置まで回動させた際に互いに係合して、前記固定カバー部に対して前記可動カバー部を前記回動方向にロックする前記回動操作時ロック手段が構成され、
前記Ｙ方向規制壁の内面に突設されたロック突起と前記係合凸部とにより、前記ヒンジ部が切断されて前記固定カバー部から切り離された状態の前記可動カバー部を下方の閉位置までスライドさせた際に互いに係合して、前記固定カバー部に対して前記可動カバー部を前記スライド方向にロックするスライド操作時ロック手段が構成されている
ことを特徴とする上記（２）の保護カバー。
【０００９】
上記（１）の構成の保護カバーによれば、可動カバー部を、ヒンジ部を支点に上下方向に回動させて開閉する使用形態（回動形式）と、ヒンジ部を切断して可動カバー部を固定カバー部から切り離した状態で、上下方向にスライドさせて開閉する使用形態（スライド形式）とのいずれかを選択することができる。従って、可動カバー部の回動スペースが十分に確保できる場合は、前者の形態で使用し、可動カバー部の回動スペースが十分に確保できない場合は、後者の形態で使用すればよい。例えば、バッテリの端子をこの保護カバーで保護するにあたり、可動カバー部を回動させる際に周囲に干渉物がない場合は、回動形式で使用し、可動カバー部を回動させる際に周囲に干渉物がある場合は、スライド形式で使用する。また、ヒンジ部が何らかの理由で切れた場合にも、スライド形式で使用してスライド操作時ロック手段で可動カバー部をロックすれば、使用可能となる。
【００１０】
上記（２）の構成の保護カバーによれば、スライドガイドの案内により可動カバー部をスムーズに開閉スライドさせることができる。また、スライドガイドの少なくとも一部により回動操作時ロック手段とスライド操作時ロック手段とが構成されているので、回動方式で使用する場合とスライド形式で使用する場合の可動カバー部のロック手段を別々に設けなくてよく、構成を簡略にすることができる。
【００１１】
上記（３）の構成の保護カバーによれば、スライド形式で使用する場合、スライドレールのＸ方向規制壁とＹ方向規制壁の作用により、可動カバー部をＸ方向及びＹ方向に位置規制しながらスムーズに開閉スライドさせることができる。そして、閉位置までスライドさせた段階で係合凸部がロック突起に係合することで、可動カバー部がスライド方向に動かないように固定される。また、回動形式で使用する場合は、可動カバー部を閉位置まで回動させた段階で係合凸部がスライドレールのＸ方向規制壁に係合することで、可動カバー部が回動方向に動かないように固定される。
【発明の効果】
【００１２】
本発明によれば、ヒンジ部が切れてしまった場合でも使用可能であり、また、可動カバー部の回動スペースが十分に確保できない場合でも使用可能で、用途に応じて使い分けができる。
【００１３】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１４】
【図１】図１は本発明の実施形態の保護カバーを回動形式で使用する場合の外観斜視図で、図１（ａ）は可動カバー部をヒンジ部を支点にして回動できることを示す斜視図、図１（ｂ）は可動カバー部を閉位置に回動させてロックした状態を示す斜視図である。
【図２】図２は図１（ａ）のＡ部の構成図で、図２（ａ）は可動カバー部側の構成と固定カバー部側の構成の組み合わせを示す斜視図、図２（ｂ）は図２（ａ）のＢ矢視図、図２（ｃ）は図２（ｂ）のＣ−Ｃ矢視断面図、図２（ｄ）は図２（ａ）のＤ−Ｄ矢視断面図である。
【図３】図３（ａ）は図１（ｂ）の状態の上から見た平面図、図３（ｂ）は図３（ａ）のＥ−Ｅ矢視断面図である。
【図４】図４（ａ）は図１（ｂ）の状態の横断面図、図４（ｂ）は図４（ａ）のＦ円部の拡大図である。
【図５】図５は同実施形態の保護カバーをスライド形式で使用する場合の外観斜視図で、図５（ａ）は固定カバー部から切り離した可動カバー部を上方の開位置から下方の閉位置までスライドさせようとしている状態を示す斜視図、図５（ｂ）は可動カバー部を閉位置にスライドさせてロックした状態を示す斜視図である。
【図６】図６は図５（ａ）の状態から図５（ｂ）の状態まで可動カバー部をスライドさせる際の、可動カバー部側の係合凸部と固定カバー部側のスライドレールとの関係を示す図３（ｂ）と同様の断面図である。
【図７】図７は同実施形態の保護カバーの使用形式の違いを示す側面図で、図７（ａ）は回動形式で使用する場合の側面図、図７（ｂ）はスライド形式で使用する場合の側面図である。
【図８】図８は従来の保護カバーの例であるバッテリ接続端子保護カバーの構成図で、図８（ａ）は側面図、図８（ｂ）は斜視図である。
【発明を実施するための形態】
【００１５】
以下、本発明の実施形態を図面を参照して説明する。
図１は実施形態の保護カバーを回動形式で使用する場合の外観斜視図で、図１（ａ）は可動カバー部をヒンジ部を支点にして回動できることを示す斜視図、図１（ｂ）は可動カバー部を閉位置に回動させてロックした状態を示す斜視図である。図２は、図１（ａ）のＡ部の構成図で、図２（ａ）は可動カバー部側の構成と固定カバー部側の構成の組み合わせを示す斜視図、図２（ｂ）は図２（ａ）のＢ矢視図、図２（ｃ）は図２（ｂ）のＣ−Ｃ矢視断面図、図２（ｄ）は図２（ａ）のＤ−Ｄ矢視断面図、図３（ａ）は図１（ｂ）の状態の上から見た平面図、図３（ｂ）は図３（ａ）のＥ−Ｅ矢視断面図、図４（ａ）は図１（ｂ）の状態の横断面図、図４（ｂ）は図４（ａ）のＦ円部の拡大図である。
【００１６】
図１（ａ）及び図１（ｂ）に示すように、この保護カバー１はバッテリ接続端子保護カバー（いわゆるバッテリキャップ）であり、第１の保護対象部（図示略の端子など）の上方を覆う箱型の固定カバー部１０と、固定カバー部１０の側方に配置され、第２の保護対象部（図示略の別の端子など）の上方を覆う箱型の可動カバー部２０と、を有している。
【００１７】
可動カバー部２０は、固定カバー部１０に対して切断可能なヒンジ部３０を介して、図１（ａ）中の矢印Ｒで示すように上下方向回動自在に連結されており、それにより、固定カバー部１０と可動カバー部２０とヒンジ部３０とを持つ保護カバー１が、樹脂の一体成形品として構成されている。また、固定カバー部１０を第１の保護対象部を覆うように装着した状態で、可動カバー部２０が、第２の保護対象部を開放する上方の開位置と第２の保護対象部を覆う下方の閉位置との間で開閉自在とされている。
【００１８】
図５は実施形態の保護カバー１をスライド形式で使用する場合の外観斜視図で、図５（ａ）は固定カバー部１０から切り離した可動カバー部２０を上方の開位置から下方の閉位置までスライドさせようとしている状態を示す斜視図、図５（ｂ）は可動カバー部２０を閉位置にスライドさせてロックした状態を示す斜視図である。
【００１９】
図５（ａ）及び図５（ｂ）に示すように、この保護カバー１は、ヒンジ部３０（図１参照）が切断されて固定カバー部１０から可動カバー部２０が切り離された場合、切り離された可動カバー部２０が、第２の保護対象部を開放する上方の開位置〔図５（ａ）の位置〕と第２の保護対象部を覆う下方の閉位置〔図５（ｂ）の位置〕との間で上下方向スライド自在となるように構成されている。
【００２０】
図１に示すように、固定カバー部１０と可動カバー部２０との対向部（即ち、固定カバー部１０及び可動カバー部２０がそれぞれ第１の保護対象部と第２の保護対象部を覆った状態になっているときに互いに対向する部分）には、可動カバー部２０を第２の保護対象部を開放する開位置から第２の保護対象部を覆う閉位置までヒンジ部３０を支点にして回動させた際の可動カバー部２０の最後の矢印ＲＡ方向の動きで、固定カバー部１０に対して可動カバー部２０をロックする回動操作時ロック手段８０が設けられている。
【００２１】
また、図５に示すように、固定カバー部１０と可動カバー部２０との対向部には、ヒンジ部３０が切断されて固定カバー部１０から可動カバー部２０が切り離された状態で、可動カバー部２０を、第２の保護対象部を開放する上方の開位置から第２の保護対象部を覆う下方の閉位置までスライドさせた際に、固定カバー部１０に対して可動カバー部２０をロックするスライド操作時ロック手段９０が設けられている。
【００２２】
また、固定カバー部１０と可動カバー部２０との対向部には、ヒンジ部３０が切断されて固定カバー部１０から可動カバー部２０が切り離された状態で可動カバー部２０を、第２の保護対象部を開放する上方の開位置から第２の保護対象部を覆う下方の閉位置までスライドさせる際にスライド動作を案内するスライドガイド４０、５０が設けられている。
【００２３】
具体的には図１〜図５に示すように、固定カバー部１０の外側面に、スライドガイド４０、５０の一方の要素である一対のスライドレール４０が互いに平行に突設されている。また、可動カバー部２０の両側壁２３の外面に、スライドガイド４０、５０の他方の要素であり、各スライドレール４０にスライド自在に係合する係合凸部５０が設けられている。
【００２４】
各スライドレール４０は、図２（ａ）に示すように、スライド方向であるＺ方向と直交する面内方向のうち、可動カバー部２０がヒンジ部３０を支点にして回動するときの回動面内に含まれるＸ方向に係合凸部５０を規制するＸ方向規制壁４２と、スライド方向と直交する面内方向のうち、Ｘ方向と直交するＹ方向に係合凸部５０を規制するＹ方向規制壁４１とを有しており、Ｙ方向規制壁４１の先端にＸ方向規制壁４２が連続して形成された断面Ｌ字状をなしている。また、スライドレール４０の内部には、係合凸部５０がスライドする空所４３と、Ｙ方向規制壁４１の下部内面に突設されたロック突起４６とが設けられている。また、スライドレール４０の上端には、内側に曲がったリブ４５が、Ｘ方向規制壁４２及びＹ方向規制壁４１に連続する形で形成されている。
【００２５】
そして、このスライドガイド４０、５０の少なくとも一部により、回動操作時ロック手段８０とスライド操作時ロック手段９０とが構成されている。即ち、Ｘ方向規制壁４２と係合凸部５０とにより、可動カバー部２０を閉位置まで回動させた際に互いに係合して、固定カバー部１０に対して可動カバー部２０を回動方向にロックする回動操作時ロック手段８０が構成されている。また、Ｙ方向規制壁４１の内面に突設されたロック突起４６と係合凸部５０とにより、ヒンジ部３０が切断されて固定カバー部１０から切り離された状態の可動カバー部２０を下方の閉位置までスライドさせた際に互いに係合して、固定カバー部１０に対して可動カバー部２０をスライド方向（Ｚ方向）にロックするスライド操作時ロック手段９０が構成されている。
【００２６】
ここで、係合凸部５０は、図２に示すように、Ｚ方向に長い角柱状のもので、頂面５１が、Ｙ方向規制壁４１と平行な平坦面として形成され、上端面５２と下端面５３が、ロック突起４６をスライド時に乗り越えやすいように傾斜面として形成され、回動時ロック方向の前端面５５が、Ｘ方向規制壁４２を乗り越えやすいように傾斜面として形成され、回動時ロック方向（矢印ＲＡ方向）の後端面５４がＸ方向規制壁４２を乗り越えた後にＸ方向規制壁４２の内壁に引っ掛かりやすいように逆向きの傾斜面として形成されている。
【００２７】
また、図１〜図５に示すように、可動カバー部２０の両側壁２３の外面には、係合凸部５０と平行にガイドリブ６０が設けられている。ガイドリブ６０は、係合凸部５０より回動時ロック方向（矢印ＲＡ方向）の後側に配置されており、係合凸部５０がスライドレール４０の内側の空間をスライドする際に、スライドレール４０のＸ方向規制壁４２を係合凸部５０との間に挟み、それにより、安定して可動カバー部２０がスライドできるようにするために設けられている。
【００２８】
次に作用を説明する。
この保護カバー１では、図１に示すように、可動カバー部２０を、ヒンジ部３０を支点に上下方向に回動させて開閉する使用形態（回動形式）と、図５に示すように、ヒンジ部３０を切断して、可動カバー部２０を、固定カバー部１０から切り離した状態で、上下方向にスライドさせて開閉する使用形態（スライド形式）とのいずれかを選択して使用することができる。
【００２９】
従って、可動カバー部２０の回動スペースが十分に確保できる場合は回動形式で使用し、可動カバー部２０の回動スペースが十分に確保できない場合はスライド形式で使用すればよい。例えば、バッテリの端子をこの保護カバー１で保護するにあたり、図７（ａ）に示すように、可動カバー部２０を回動させる際に周囲に干渉物Ｗがなく回動スペースＴが十分に確保できる場合は回動形式で使用し、図７（ｂ）に示すように、可動カバー部２０を回動させる際に周囲に干渉物Ｗがある場合はスライド形式で使用する。
【００３０】
例えば、ＤＩＮバッテリ（ドイツ規格バッテリ）の場合は、バッテリポストの一部が壁で包囲されているので、可動カバー部２０を回動させるときに壁に可動カバー部２０が干渉するおそれがあるが、保護カバー１をスライド形式として使用することで、ＤＩＮバッテリに対しても使用可能となる。
【００３１】
回動形式で使用する場合は、図１（ｂ）及び図３、図４に示すように、可動カバー部２０を閉位置まで回動させた段階で、係合凸部５０がスライドレール４０のＸ方向規制壁４２を乗り越えてＸ方向規制壁４２に係合することで、可動カバー部２０を回動方向に動かないように固定することができる。この動作過程においては、例えば可動カバー部２０の側壁２３が内側に撓むことで、係合凸部５０がスライドレール４０のＸ方向規制壁４２を乗り越える。
【００３２】
また、スライド形式で使用する場合は、図５及び図６に示すように、スライドレール４０のＸ方向規制壁４２とＹ方向規制壁４１の案内作用により、可動カバー部２０をＸ方向及びＹ方向に位置規制しながら、スムーズにＺ方向に開閉スライドさせることができる。そして、閉位置までスライドさせた段階で、係合凸部５０がロック突起４６を乗り越えてロック突起４６に係合することで、可動カバー部２０をスライド方向に動かないように固定することができる。
【００３３】
また、ヒンジ部３０が何らかの理由で切れた場合にも、スライド形式で使用してスライド操作時ロック手段９０で可動カバー部２０をロックすれば、使用可能となる。
【００３４】
なお、スライドレール４０の上端には、Ｘ方向規制壁４２とＹ方向規制壁４１の補強用のリブ４５が設けられているが、このリブ４５についても、可動カバー部２０の側壁２３が内側に撓むことで係合凸部５０が乗り越えることができる。このリブ４５は、補強用であるので、スライドレール４０の強度を保つことができれば、省略可能である。
【００３５】
また、上記実施形態の保護カバー１では、スライドガイド（スライドレール４０及び係合凸部５０）の案内により可動カバー部２０をスムーズに開閉スライドさせることができるようになる。また、スライドガイドの少なくとも一部により回動操作時ロック手段８０とスライド操作時ロック手段９０とを構成しているので、回動方式で使用する場合とスライド形式で使用する場合の可動カバー部２０のロック手段を別々に設けなくてよく、構成を簡略にすることができる。
【００３６】
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００３７】
例えば、上記実施形態では、バッテリキャップとして使用する場合を示したが、その他の保護対象部を保護する場合にも広く適用することができる。
【００３８】
ここで、上述した本発明に係る保護カバーの実施形態の特徴をそれぞれ以下［１］〜［３］に簡潔に纏めて列記する。
【００３９】
［１］  第１の保護対象部の上方を覆う固定カバー部（１０）と、
該固定カバー部（１０）の側方に配置され、第２の保護対象部の上方を覆う可動カバー部（２０）と、
前記固定カバー部（１０）に対して前記可動カバー部（２０）を上下方向回動自在に一体に連結し、それにより、前記固定カバー部（１０）を前記第１の保護対象部を覆うように装着した状態で、前記可動カバー部（２０）を、前記第２の保護対象部を開放する開位置と前記第２の保護対象部を覆う閉位置との間で開閉自在とし、一方で、切断された際に、前記固定カバー部（１０）から切り離された前記可動カバー部（２０）を、前記第２の保護対象部を開放する上方の開位置と前記第２の保護対象部を覆う下方の閉位置との間で上下方向スライド自在とする切断可能なヒンジ部（３０）と、
を有する保護カバー（１）であって、
前記固定カバー部（１０）と前記可動カバー部（２０）との対向部に、
前記可動カバー部（２０）を前記第２の保護対象部を開放する開位置から第２の保護対象部を覆う閉位置まで前記ヒンジ部（３０）を支点にして回動させた際に、前記固定カバー部（１０）に対して前記可動カバー部（２０）をロックする回動操作時ロック手段（８０）と、
前記ヒンジ部（３０）が切断されて前記固定カバー部（１０）から前記可動カバー部（２０）が切り離された状態で、前記可動カバー部（２０）を、前記第２の保護対象部を開放する上方の開位置から第２の保護対象部を覆う下方の閉位置までスライドさせた際に、前記固定カバー部（１０）に対して前記可動カバー部（２０）をロックするスライド操作時ロック手段（９０）と、
が設けられていることを特徴とする保護カバー（１）。
【００４０】
［２］  前記固定カバー部（１０）と前記可動カバー部（２０）との対向部に、前記ヒンジ部（３０）が切断されて前記固定カバー部（１０）から前記可動カバー部（２０）が切り離された状態で前記可動カバー部（２０）を、前記第２の保護対象部を開放する上方の開位置から第２の保護対象部を覆う下方の閉位置までスライドさせる際にスライド動作を案内するスライドガイド（４０、５０）が設けられており、
前記スライドガイド（４０、５０）の少なくとも一部により、前記回動操作時ロック手段（８０）と前記スライド操作時ロック手段（９０）とが構成されていることを特徴とする上記［１］の保護カバー（１）。
【００４１】
［３］  前記スライドガイド（４０、５０）の一方の要素であり、前記固定カバー部（１０）の外側面に互いに平行に突設された一対のスライドレール（４０）と、
前記スライドガイド（４０、５０）の他方の要素であり、前記可動カバー部（２０）の両側壁（２３）の外面に設けられ、前記各スライドレール（４０）にスライド自在に係合する係合凸部（５０）と、
を有し、
前記各スライドレール（４０）は、
前記スライド方向と直交する面内方向のうち、前記可動カバー部（２０）が前記ヒンジ部（３０）を支点にして回動するときの回動面内に含まれるＸ方向に前記係合凸部（５０）を規制するＸ方向規制壁（４２）と、前記スライド方向と直交する面内方向のうち、前記Ｘ方向と直交するＹ方向に前記係合凸部（５０）を規制するＹ方向規制壁（４１）とを有し、且つ、前記Ｙ方向規制壁（４１）の先端に前記Ｘ方向規制壁（４２）が連続して形成された断面Ｌ字状をなしており、
前記Ｘ方向規制壁（４２）と前記係合凸部（５０）とにより、前記可動カバー部（２０）を閉位置まで回動させた際に互いに係合して、前記固定カバー部（１０）に対して前記可動カバー部（２０）を前記回動方向にロックする前記回動操作時ロック手段（８０）が構成され、
前記Ｙ方向規制壁（４１）の内面に突設されたロック突起（４６）と前記係合凸部（５０）とにより、前記ヒンジ部（３０）が切断されて前記固定カバー部（１０）から切り離された状態の前記可動カバー部（２０）を下方の閉位置までスライドさせた際に互いに係合して、前記固定カバー部（１０）に対して前記可動カバー部（２０）を前記スライド方向にロックするスライド操作時ロック手段（９０）が構成されている
ことを特徴とする上記［２］の保護カバー（１）。
【符号の説明】
【００４２】
１  保護カバー
１０  固定カバー部
２０  可動カバー部
２３  側壁
３０  ヒンジ部
４０  スライドレール（スライドガイド）
４１  Ｙ方向規制壁
４２  Ｘ方向規制壁
４６  ロック突起
５０  係合凸部（スライドガイド）
８０  回動操作時ロック手段
９０  スライド操作時ロック手段
【図１】
2015060688.tif 000003
【図２】
2015060688.tif 000004
【図３】
2015060688.tif 000005
【図４】
2015060688.tif 000006
【図５】
2015060688.tif 000007
【図６】
2015060688.tif 000008
【図７】
2015060688.tif 000009
【図８】
2015060688.tif 000010